(57)【特許請求の範囲】
【請求項１】
記録材上に形成された画像を読み取り画像データを生成する画像読み取り手段と、
前記生成された前記画像データの保存先を選択する際に用いられる予め登録された複数の選択用画像を、表示する表示手段と、
前記画像データの保存を行う使用者を他の使用者から識別するための識別手段と、
を備え、
前記表示手段は、前記識別手段によって使用者が識別された場合、当該識別された使用者に対応した選択用画像を表示するとともに、表示する当該選択用画像の個数を、前記複数の選択用画像全てよりも少ない個数に減らして当該選択用画像の当該表示を行い、使用者の選択肢を減らすことを特徴とする画像読み取り装置。
【請求項２】
前記表示手段は、前記識別手段によって使用者が識別されない場合、前記選択用画像の表示を行わないことを特徴とする請求項１に記載の画像読み取り装置。
【請求項３】
前記使用者が識別された場合には当該識別された使用者に対応した前記選択用画像を表示し、当該使用者が識別されない場合には当該選択用画像の表示を行わない第１の表示モードと、
前記使用者が識別されたかに関わらず、前記選択用画像を表示する第２の表示モードと、
を設定する設定手段を備える請求項１に記載の画像読み取り装置。
【請求項４】
前記表示手段は、前記第１の表示モードにて識別された使用者に対応する前記選択用画像を表示する際の表示位置と、前記第２の表示モードにて当該選択用画像を表示する際の表示位置とが異なることを特徴とする請求項３に記載の画像読み取り装置。
【請求項５】
前記複数の選択用画像は特定の使用者に対応した選択用画像および複数の使用者に対応した選択用画像とを含み、
前記表示手段は、前記特定の使用者に対応した選択用画像を、表示画面の側縁に寄せて配置し、当該複数の使用者に対応した選択用画像を、当該特定の使用者に対応した選択用画像よりも表示領域における中央側に配置することを特徴とする請求項１に記載の画像読み取り装置。
【請求項６】
前記表示手段は、前記生成された画像データの保存先を選択する選択用画像と前記画像読み取り手段が画像読み取りを行う際の読み取り条件を使用者が設定する際に用いる設定用画像とを併せて表示することを特徴とする請求項１に記載の画像読み取り装置。
【請求項７】
前記表示手段は、使用者による表示切り替え操作がなされた場合、前記選択用画像および前記設定用画像を表示した第１の表示画面から、第２の表示画面への表示の切り替えを行うとともに、当該第２の表示画面では、前記選択用画像を表示せずに前記設定用画像を表示することを特徴とする請求項６に記載の画像読み取り装置。
【請求項８】
複数のユーザのうちの一のユーザによる選択がなされる際に用いられる選択用画像であってユーザ毎に作成された当該選択用画像を、当該複数のユーザの人数分、表示可能な表示手段と、
前記選択を行うユーザを他のユーザから識別するためのユーザ識別情報を取得する取得手段と、
を備え、
前記表示手段は、前記取得手段によって前記ユーザ識別情報が取得された場合、当該ユーザ識別情報により特定されるユーザの前記選択用画像を表示するとともに、表示する当該選択用画像の個数を、前記人数分よりも減らして当該選択用画像の当該表示を行い、ユーザの選択肢を減らすことを特徴とする表示装置。
【請求項９】
複数のユーザのうちの一のユーザによる選択がなされる際に用いられる選択用画像であってユーザ毎に作成された当該選択用画像を、少なくとも、当該複数のユーザの人数分、表示部に表示する第１の表示機能と、
前記選択を行うユーザを他のユーザから識別するためのユーザ識別情報を取得する取得機能と、
前記取得機能によって前記ユーザ識別情報が取得された場合、当該ユーザ識別情報により特定されるユーザの前記選択用画像を前記表示部に表示するとともに、表示する当該選択用画像の個数を、前記人数分よりも減らして当該選択用画像を当該表示部に表示し、ユーザの選択肢を減らす第２の表示機能と、
をコンピュータに実現させるためのプログラム。
【請求項１０】
生成された画像データの保存先を選択する選択用画像と画像読み取り手段が画像読み取りを行う際の読み取り条件をユーザが設定する際に用いる設定項目の中でユーザによって変更される頻度が相対的に高いと想定される設定用画像とを併せて表示する第１の画面と前記選択用画像を表示せずに設定用画像を表示する第２の画面とを表示する表示手段とを備えることを特徴とする画像読み取り装置。
【請求項１１】
生成された画像データの保存先を選択する選択用画像と画像読み取り手段が画像読み取りを行う際の読み取り条件をユーザが設定する際に用いる設定項目としてカラーモードまたは原稿の送りモードの設定用画像とを併せて表示する第１の画面と前記選択用画像を表示せずに設定用画像を表示する第２の画面とを表示する表示手段とを備えることを特徴とする画像読み取り装置。
【請求項１２】
生成された画像データの保存先を選択する選択用画像と画像読み取り手段が画像読み取りを行う際の読み取り条件をユーザが設定する際に用いる設定用画像とを併せて表示する第１の画面と前記選択用画像を表示せずに設定用画像を表示する第２の画面とを表示する表示手段とを備え、読み取り条件をユーザが設定する際に用いる設定項目の全てが前記第１の画面と前記第２の画面とで選択できることを特徴とする画像読み取り装置。
【発明の詳細な説明】
【技術分野】
【０００１】
本発明は、画像読み取り装置、表示装置、および、プログラムに関する。
【背景技術】
【０００２】
特許文献１には、画像形成装置を使用し、原稿の画像を電子データ化して画像形成装置内に保存させるボックス保存機能が開示されている。また、この特許文献１には、ボックス保存機能により保存された画像データが、ＬＡＮを介してＰＣへ送信される処理が開示されている。
【先行技術文献】
【特許文献】
【０００３】
【特許文献１】特開２０１１−７７７２８号公報
【発明の概要】
【発明が解決しようとする課題】
【０００４】
本発明の目的は、選択用画像が全て表示される場合に比べ、使用者が当該使用者に対応する選択用画像を探す際の利便性を高めることにある。
【課題を解決するための手段】
【０００５】
請求項１に記載の発明は、記録材上に形成された画像を読み取り画像データを生成する画像読み取り手段と、前記生成された前記画像データの保存先を選択する際に用いられる予め登録された複数の選択用画像を、表示する表示手段と、前記画像データの保存を行う使用者を他の使用者から識別するための識別手段と、を備え、前記表示手段は、前記識別手段によって使用者が識別された場合、当該識別された使用者に対応した選択用画像を表示するとともに、表示する当該選択用画像の個数を、前記複数の選択用画像全てよりも少ない個数に減らして当該選択用画像の当該表示を行い、使用者の選択肢を減らすことを特徴とする画像読み取り装置である。
請求項２に記載の発明は、前記表示手段は、前記識別手段によって使用者が識別されない場合、前記選択用画像の表示を行わないことを特徴とする請求項１に記載の画像読み取り装置である。
請求項３に記載の発明は、前記使用者が識別された場合には当該識別された使用者に対応した前記選択用画像を表示し、当該使用者が識別されない場合には当該選択用画像の表示を行わない第１の表示モードと、前記使用者が識別されたかに関わらず、前記選択用画像を表示する第２の表示モードと、を設定する設定手段を備える請求項１に記載の画像読み取り装置である。
請求項４に記載の発明は、前記表示手段は、前記第１の表示モードにて識別された使用者に対応する前記選択用画像を表示する際の表示位置と、前記第２の表示モードにて当該選択用画像を表示する際の表示位置とが異なることを特徴とする請求項３に記載の画像読み取り装置である。
請求項５に記載の発明は、前記複数の選択用画像は特定の使用者に対応した選択用画像および複数の使用者に対応した選択用画像とを含み、前記表示手段は、前記特定の使用者に対応した選択用画像を、表示画面の側縁に寄せて配置し、当該複数の使用者に対応した選択用画像を、当該特定の使用者に対応した選択用画像よりも表示領域における中央側に配置することを特徴とする請求項１に記載の画像読み取り装置である。
請求項６に記載の発明は、前記表示手段は、前記生成された画像データの保存先を選択する選択用画像と前記画像読み取り手段が画像読み取りを行う際の読み取り条件を使用者が設定する際に用いる設定用画像とを併せて表示することを特徴とする請求項１に記載の画像読み取り装置である。
請求項７に記載の発明は、前記表示手段は、使用者による表示切り替え操作がなされた場合、前記選択用画像および前記設定用画像を表示した第１の表示画面から、第２の表示画面への表示の切り替えを行うとともに、当該第２の表示画面では、前記選択用画像を表示せずに前記設定用画像を表示することを特徴とする請求項６に記載の画像読み取り装置である。
請求項８に記載の発明は、複数のユーザのうちの一のユーザによる選択がなされる際に用いられる選択用画像であってユーザ毎に作成された当該選択用画像を、当該複数のユーザの人数分、表示可能な表示手段と、前記選択を行うユーザを他のユーザから識別するためのユーザ識別情報を取得する取得手段と、を備え、前記表示手段は、前記取得手段によって前記ユーザ識別情報が取得された場合、当該ユーザ識別情報により特定されるユーザの前記選択用画像を表示するとともに、表示する当該選択用画像の個数を、前記人数分よりも減らして当該選択用画像の当該表示を行い、ユーザの選択肢を減らすことを特徴とする表示装置である。
請求項９に記載の発明は、複数のユーザのうちの一のユーザによる選択がなされる際に用いられる選択用画像であってユーザ毎に作成された当該選択用画像を、少なくとも、当該複数のユーザの人数分、表示部に表示する第１の表示機能と、前記選択を行うユーザを他のユーザから識別するためのユーザ識別情報を取得する取得機能と、前記取得機能によって前記ユーザ識別情報が取得された場合、当該ユーザ識別情報により特定されるユーザの前記選択用画像を前記表示部に表示するとともに、表示する当該選択用画像の個数を、前記人数分よりも減らして当該選択用画像を当該表示部に表示し、ユーザの選択肢を減らす第２の表示機能と、をコンピュータに実現させるためのプログラムである。
請求項１０に記載の発明は、生成された画像データの保存先を選択する選択用画像と画像読み取り手段が画像読み取りを行う際の読み取り条件をユーザが設定する際に用いる設定項目の中でユーザによって変更される頻度が相対的に高いと想定される設定用画像とを併せて表示する第１の画面と前記選択用画像を表示せずに前記設定用画像を表示する第２の画面とを表示する表示手段とを備えることを特徴とする画像読み取り装置である。
請求項１１に記載の発明は、生成された画像データの保存先を選択する選択用画像と画像読み取り手段が画像読み取りを行う際の読み取り条件をユーザが設定する際に用いる設定項目としてカラーモードまたは原稿の送りモードの設定用画像とを併せて表示する第１の画面と前記選択用画像を表示せずに設定用画像を表示する第２の画面とを表示する表示手段とを備えることを特徴とする画像読み取り装置である。
請求項１２に記載の発明は、生成された画像データの保存先を選択する選択用画像と画像読み取り手段が画像読み取りを行う際の読み取り条件をユーザが設定する際に用いる設定用画像とを併せて表示する第１の画面と前記選択用画像を表示せずに設定用画像を表示する第２の画面とを表示する表示手段とを備え、読み取り条件をユーザが設定する際に用いる設定項目の全てが前記第１の画面と前記第２の画面とで選択できることを特徴とする画像読み取り装置である。
【発明の効果】
【０００６】
本発明の請求項１によれば、選択用画像が全て表示される場合に比べ、使用者が当該使用者に対応する選択用画像を探す際の利便性を高めることができる。
本発明の請求項２によれば、画像読み取り装置を利用している使用者についての情報が、この画像読み取り装置を利用する権限を有していない者に知られることを抑制できる。
本発明の請求項３によれば、画像読み取り装置を利用する権限を有していないと画像データの保存を行えないモードと、画像読み取り装置を利用する権限を有していなくても画像データの保存を行えるモードの２つのモードを設定できる。
本発明の請求項４によれば、第１の表示モードにおいて自己の選択用画像を使用者が探すにあたり、この選択用画像を使用者が見つけやすい位置に配置できるようになる。
本発明の請求項５によれば、特定の使用者に対応した選択用画像および複数の使用者に対応した選択用画像が表示されている状態にて、特定の使用者が自己の選択用画像を探すにあたり、この特定の使用者が見つけやすい位置に、選択用画像が配置されるようになる。
本発明の請求項６によれば、使用者は、選択用画像が表示されている表示画面から他の画面への切り替えを行わずに、設定用画像を確認できるようになる。
本発明の請求項７によれば、読み取り条件の設定に用いる設定用画像の全てが第１の表示画面に配置される場合に比べ、この第１の表示画面が見やすくなるとともに、第２の表示画面では、選択用画像が表示されておらず、読み取り条件の設定を行いやすくなる。
本発明の請求項８によれば、ユーザ毎に作成されユーザによる選択の際に用いられる選択用画像が表示されている表示画面の中から、自己の選択用画像をユーザが探す際の利便性を高めることができる。
本発明の請求項９によれば、ユーザ毎に作成されユーザによる選択の際に用いられる選択用画像が表示されている表示画面の中から、自己の選択用画像をユーザが探す際の利便性を高めることができる。
本発明の請求項１０、１１、１２によれば、読み取り条件の設定に用いる設定用画像の全てが第１の表示画面に配置される場合に比べ、この第１の表示画面が見やすくなるとともに、第２の表示画面では、選択用画像が表示されておらず、読み取り条件の設定を行いやすくなる。
【図面の簡単な説明】
【０００７】
【図１】本発明の実施形態に係る画像形成装置のハードウェア構成を例示したブロック図である。
【図２】表示部における表示例を示した図である。
【図３】図２にて示した「コピー」の選択用ボタンがユーザにより選択された後の表示画面を示した図である。
【図４】表示部における表示例を示した図である。
【図５】図２にて示したホーム画面上の「ボックス保存」が選択された際の表示画面を示した図である。
【図６】第２タブが選択された際の表示画面を示した図である。
【図７】「個人プリント」が選択された後の表示画面を示した図である。
【図８】ファイルが選択された後の表示画面を示した図である。
【図９】ワンタッチ選択用ボタンをユーザが作成する際の表示画面を示した図である。
【図１０】ワンタッチ選択用ボタンの一覧を示した図である。
【図１１】（Ａ）は、保存先特定用選択用ボタンをユーザが作成する際に実行される処理の流れを示した図であり、（Ｂ）は、ボックス保存がユーザにより利用される際に実行される処理の流れを示した図である。
【図１２】表示部の表示例を示した図である。
【図１３】表示部の他の表示例を示した図である。
【発明を実施するための形態】
【０００８】
以下、添付図面を参照して、本発明の実施の形態について説明する。
図１は、本発明の実施形態に係る画像形成装置１０のハードウェア構成を例示したブロック図である。本実施形態の画像形成装置１０には、制御部１００、記憶部１０５、表示部１０７、画像読取部１０８、画像形成部１０９、通信部１１０、画像処理部１１１が設けられている。なお、これらの各機能部は、バス１０１に接続されており、このバス１０１を介してデータの授受を行う。
【０００９】
制御部１００は、画像形成装置１０に設けられた上記各機能部の制御を行う。ここで、制御部１００は、ＣＰＵ（Central Processing Unit）１０２、ＲＯＭ（Read Only Memory）１０３、ＲＡＭ（Random Access Memory）１０４により構成されている。
ＲＯＭ１０３は、ＣＰＵ１０２により実行される制御プログラムを記憶している。ＣＰＵ１０２は、ＲＯＭ１０３に記憶されている制御プログラムを読み出し、ＲＡＭ１０４を作業エリアにして制御プログラムを実行する。ＣＰＵ１０２により制御プログラムが実行されると、画像形成装置１０の各機能部が制御される。これにより、例えば、表示部１０７に予め定められた表示がなされ、また、用紙への画像形成が行われる。また、画像読取部１０８にセットされた原稿の読み取りなどが行われる。
【００１０】
なお、ＣＰＵ１０２によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて画像形成装置１０にダウンロードさせてもよい。
【００１１】
表示部１０７は、例えば液晶のタッチパネルディスプレイにより構成され、制御部１００の制御の下、例えば画像形成装置１０に関するデータを表示する。また、表示部１０７は、ユーザからの操作を受け付けるための表示画面を表示し、この表示画面を介し、ユーザからの操作を受け付ける。
画像読取部１０８は、文書を読み取り読み取った文書の画像を表す画像データを生成する画像読取装置（スキャナ装置）を備えており、生成した画像データを画像処理部１１１へ出力する。
【００１２】
画像形成部１０９は、電子写真方式等によって記録媒体である例えば用紙に対して画像データに応じたトナー像を形成する画像形成機構を備えている。
通信部１１０は、不図示の通信回線に接続されており、通信回線に接続されている他の装置と通信を行う通信インターフェースとして機能する。
画像処理部１１１は、入力される画像データに色補正や階調補正等の画像処理を施すものであり、画像処理が施された画像データを生成して画像形成部１０９へ出力する。
記憶部１０５は、ハードディスク装置などの記憶装置を具備しており、例えば通信部１１０で受信したデータや画像形成装置１０で生成されたデータを記憶する。
【００１３】
図２は、表示部１０７における表示例を示した図である。
表示部１０７には、通常、同図に示すホーム画面が表示されている。このホーム画面には、複数の選択用ボタン（アイコン）２１が表示されており、この選択用ボタン２１の何れかがユーザにより選択（押圧）されることで、選択用ボタン２１に関連付けられている機能が実行される。
【００１４】
具体的には、図２に示す例では、選択用ボタン２１として、「コピー」、「ボックス保存」、「ＩＤカードコピー」、「メディアアクセス」、「メール」、「プリント」、「ＰＣ保存」、「ファックス」の何れかを選択するための選択用ボタン２１が表示されている。そして、本実施形態では、この選択用ボタン２１の何れかがユーザにより選択されると、詳細な設定を行うための画面が更に表示される。その後、スタートボタン等の予め定められたボタンがユーザにより押圧されることで、コピーなどの処理が開始される。
【００１５】
なお、本実施形態のホーム画面は、複数のページにより構成されており、図２にて示す表示画面のうちの「地」の部分（背景の部分）を指で押しながら、この「地」の部分を図中左方向に押し出すことで、他のページに切り替わるようになっている。付言すると、本実施形態では、いわゆるフリック操作によって、ページの切り替えを行えるようになっている。なお、ページの切り替えが行われると、他の選択用ボタン２１が現れるようになる。
【００１６】
また、本実施形態の表示部１０７では、選択用ボタン２１の各々を、操作によって移動できるようになっている。具体的には、選択用ボタン２１を指で押した状態で、この指を移動させることで、選択用ボタン２１を移動させることができるようになっている。付言すると、本実施形態では、ドラッグアンドドロップによって、選択用ボタン２１の移動が行われるようになっている。
【００１７】
また、本実施形態では、選択用ボタン２１を予め定められた時間押し続け、あるいは、選択用ボタン２１の何れかが選択されている状態にて、画面の右上に位置する歯車状の記号（符号２Ａで示す記号）を押すと、画面が切り替わり、この選択用ボタン２１に関連づけられている機能の詳細な設定を行えるようになる。
【００１８】
図３は、図２にて示した「コピー」の選択用ボタン２１がユーザにより選択（押圧）された後の表示画面を示した図である。
この表示画面では、符号３Ａ、３Ｂで示すように、２つのタブ（以下、「第１タブ３Ａ」、「第２タブ３Ｂ」と称する）が設けられた構成となっている。このようにタブが２つだけであると、いずれかのタブにはユーザが必要とするボタン（操作しようとするボタン）が存在することになる。すると、一度タブを移動すれば必ず必要とするボタンが存在することとなり、タブが４つ、５つなど３つ以上ある場合に比べ、ユーザは、必要とするボタン（操作しようとするボタン）が存在するタブを選択するまでのタブの移動の回数を減らすことができる。
付言すると、タブが数多くあると、どのタブにどの機能が入っているかを把握しづらくなるが、本実施形態のようにタブが２つだけであると、どのタブにどの機能が入っているかを把握しやすくなる。
【００１９】
ここで、第１タブ３Ａが選択されている状態では、図３に示すように、「両面／片面/製本」、「コピー部数」、「Ｎアップ数（１ページへの集約ページ数）」、「倍率」、「カラーモード」、「用紙選択」、「ホチキス」などの設定項目が表示される。付言すると、本実施形態では、第１タブ３Ａが選択されている際の表示画面では、ユーザによって変更される頻度が相対的に高いと思われる設定項目が表示されるようになっている。
【００２０】
一方で、本実施形態では、変更される頻度が相対的に低いと思われる設定項目については、図４（表示部１０７における表示例を示した図）に示すように、第２タブ３Ｂが選択された際の表示画面にて表示を行う。
ここで、この図４に示す表示画面では、各設定項目（ユーザが設定を行う各項目）が、画面の縦方向に並べられて表示されている。付言すると、リスト形式で表示されている。なお、この図４に示す表示画面では、図中下方向にスクロールすることで、隠れている設定項目も表示されるようになる。
【００２１】
ここで、第２タブ３Ｂが選択された際の表示画面では、一つの方向（図中、下方向）に、スクロールすることで他の設定項目も表示される。これにより、ユーザは、自身が探している設定項目を見つけやすくなる。
ここで、例えば、各設定項目をボタン形式で表示するとともに格子状に並べて配置することも考えられるが、この場合、ユーザは、視線を上下方向のみならず左右方向に移動させる必要が生じる。かかる場合、本実施形態のように一方向にスクロールさせて設定項目を表示する場合に比べ、ユーザは探している設定項目を見つけにくくなる。
【００２２】
図５は、図２にて示したホーム画面上の「ボックス保存」が選択された際の表示画面を示した図である。
ホーム画面上の「ボックス保存」が選択されると、図５に示すように、ユーザ名が付された選択用ボタン２１が複数表示された表示画面に切り替わる。この表示画面では、上記と同様、２つのタブ（以下、「第１タブ５Ａ」、「第２タブ５Ｂ」と称する）が設けられた構成となっている。
【００２３】
なお、図５では、第１タブ５Ａが選択されている状態を示している。また、本実施形態では、「ボックス保存」が選択されて表示画面が切り替わると、まず、第１タブ５Ａが表示されるようになっている。そして、本実施形態では、ユーザにより別途第２タブ５Ｂが選択されることで、第２タブ５Ｂに対応した表示画面が表示される。
【００２４】
ここで、ボックス保存とは、画像読取部１０８（図１参照）を用いて原稿を読み取ることにより生成された画像データを、記憶部１０５に保存する処理をいう。この際、図５にて示されている選択用ボタン２１の何れかがユーザにより選択されることで、保存先が指定され、この保存先に画像データが格納される。
なお、この保存先の選択がなされるまでは、図５にて表示されている各選択用ボタン２１は何れもオフ状態（「地」の色と略同じ色）となっており、保存先の選択がなされると、他の色に切り替わりオン状態となる（選択された状態となる）。
【００２５】
また、図５に示す表示画面では、画面の最下部に、ユーザによって変更される頻度の高い設定項目（「カラーモード」、「原稿の送りモード」、「読み取り解像度」）を表示しており、これらの設定項目については、画面の切り替えを行わずに（第２タブ５Ｂを選択せずに）、その内容を変更できるようになっている。
【００２６】
図６は、第２タブ５Ｂが選択された際の表示画面を示した図である。
図６（Ａ）に示すように、第２タブ５Ｂが選択された場合には、ボックス保存に際して設定可能な他の設定項目が表示される。なお、この場合も、上記と同様の各々の設定項目はリスト形式で表示される。ここで、本実施形態では、画像読取部１０８にて読み取りを行う原稿毎に、ファイル名を付けられるようになっている。また、本実施形態では、図６（Ａ）における「ファイル名」の設定項目が選択されると、同図（Ｂ）に示すように、ファイル名入力用の表示画面が表示される。本実施形態では、この表示画面を介し、ユーザは、希望するファイル名を入力する。
【００２７】
次に、個人プリントについて説明する。
個人プリントでは、ユーザが有するＰＣ（Personal Computer）などにて生成された画像データが、画像形成装置１０に送信され、そして、画像形成装置１０の記憶部１０５（図１参照）に一旦記憶される。そして、ユーザが表示部１０７を介して開始指示を入力することで、用紙への画像形成が開始される。
個人プリントでは、ユーザが画像形成装置１０の傍にいる状態にて画像形成がなされるため、ユーザは、印刷物が印刷された直後にこの印刷物を取得できるようになる。かかる場合、このユーザ以外の他の者が、この印刷物を取得することが起きにくくなる。
【００２８】
ここで、個人プリントが行われる際には、図２にて示したホーム画面が操作され、「個人プリント」の選択用ボタン（図２では不図示）がユーザにより選択される。そして、この「個人プリント」の選択用ボタンが選択されると、図７（「個人プリント」が選択された後の表示画面を示した図）に示す表示画面に切り替わる。
【００２９】
ここで、図７にて示す、切り替え後の表示画面では、記憶部１０５に記録されている複数の画像データ（印刷ジョブ）のファイル名がリスト形式で表示される。付言すると、縦方向に並べられた状態で、ファイル名の各々が表示される。また、ファイル名の図中左横には、印刷後の用紙の状態を示すプレビュー画面が表示される。
【００３０】
ここで、図７にて示した複数のファイルのうちの一つが選択されると、図８（ファイルが選択された後の表示画面を示した図）に示す画面に切り替わる。ここで、この表示画面では、画面の下半分に、設定項目が表示される。具体的には、この例では、「プリント部数」、「カラーモード」、「両面印刷の有無」の３つの設定項目が表示される。
【００３１】
さらに、表示画面の右上にはファイル名が表示され、表示画面の左上には印刷後の用紙の状態を示すプレビュー画面が表示される。なお、本実施形態では、この図８に示す表示画面にて、上記３つの設定項目の各々を変更できるようになっているとともに、変更を行うと、この変更に応じて、プレビュー画面も変化する。すなわち、本実施形態では、設定項目の変更に応じて、プレビュー画面が動的に変化する。
【００３２】
ここで、本実施形態では、このように、ファイルがリスト形式で表示され、次いで、ユーザが印刷を希望するファイルを選択する。そして、この選ばれたファイルについて印刷がなされる。
【００３３】
なお、図示は省略するが、本実施形態では、「個人一括プリント」という選択用ボタン２１もホーム画面上に用意されており、この選択用ボタン２１が押圧されると、ワンタッチで（他の入力操作を行わずに）、未出力の蓄積文書が一括で印刷される。付言すると、本実施形態では、個人プリントに関し、「個人プリント（リスト表示）」、「個人一括プリント」の２種類の選択用ボタン２１が用意された形となっている。
【００３４】
ところで、本実施形態の画像形成装置１０では、既に用意されている選択用ボタン２１の他に、新たな選択用ボタン２１をユーザが作成できるようになっている。付言すると、本実施形態では、選択用ボタン２１の選択を１回行うことで（複数回の入力操作を行わずに１回の入力操作を行うことで）、処理が開始される選択用ボタン２１（以下、「ワンタッチ選択用ボタン２１」と称する）を作成できるようになっている。なお、上記「個人一括プリント」の選択用ボタン２１は、このワンタッチ選択用ボタン２１に該当する。
【００３５】
ここで、ワンタッチ選択用ボタン２１をユーザが作成する際には、図９（ワンタッチ選択用ボタン２１をユーザが作成する際の表示画面を示した図）の（Ａ）にて、図中右上に位置する歯車状の記号（符号９Ａで示す記号）がユーザにより押圧される。なお、図９（Ａ）に示す表示画面は、メール送信時の画面を表示している。付言すると、図９（Ａ）では、図２にて示す「メール」の選択用ボタン２１が選択されて表示画面が切り替わった後の状態を示している。
【００３６】
ここで、歯車状の上記記号が押圧されると、図９（Ｂ）に示す表示画面が表示される。ここで、この表示画面では、ワンタッチ選択用ボタン２１の作成にあたって必要となる情報がユーザにより入力される。具体的には、名前（１行目）、名前（２行目）がユーザにより入力される。ここで、本実施形態のワンタッチ選択用ボタン２１（作成後のワンタッチ選択用ボタン２１）では、名前が２段で表示される。「名前（１行目）」は、２段のうちの上段に表示される名前を示し、「名前（２行目）」は、２段のうちの下段に表示される名前を示している。
【００３７】
さらに、図９（Ｂ）に示す表示画面では、ワンタッチ選択用ボタン２１（アイコン）の図柄の変更が行われる際にユーザによって押圧されるボタン（符号９Ｂ参照）も表示される。このボタンがユーザにより押圧されると、図１０（ワンタッチ選択用ボタン２１の一覧を示した図）に示す画面が表示され、ユーザが、この画面から一つのワンタッチ選択用ボタン２１を選ぶことで、この一つのワンタッチ選択用ボタン２１が新たなワンタッチ選択用ボタン２１として登録される。また、本実施形態では、ユーザは、説明文を登録できるようになっており、説明文の登録を行いたいユーザは、表示画面（図９（Ｂ）にて示す表示画面）の下部に位置するボックス内に、説明文を入力する。
【００３８】
ここで、図９（Ｂ）に示す表示画面に対するユーザの入力が終了すると、図中右上に位置する「作成」というボタンがユーザにより押圧される。これにより、図９（Ｃ）に示す表示画面に表示が切り替わり、表示画面上に（ホーム画面上に）、「ワンタッチメール送信」というワンタッチ選択用ボタン２１が追加されるようになる。
【００３９】
なお、ここでは、ワンタッチ選択用ボタン２１を作成する際の処理を説明したが、本実施形態では、ユーザは、選択用ボタン２１を選択後、確認画面を表示させ、スタートボタンを入力することで処理を実行させる選択ボタン２１も作成できるようになっている。なお、ワンタッチ選択用ボタン２１と、通常の選択用ボタン２１とは、表示画面上で見分けることができるようになっており、ワンタッチ選択用ボタン２１には、図９（Ｃ）の符号９Ｅに示すように、菱形のマークが付加される。なお、本実施形態において、上記確認画面を表示させた後に処理を実行させるためのスタートボタンは、表示画面上ではなく、図示しない画像形成装置の他の箇所に配置させている。
【００４０】
なお、上記では、画像形成装置１０における表示処理について説明したが、この表示処理は、画像形成装置１０以外の装置（例えばタブレット端末などの装置）でも同様に行うことができる。
【００４１】
ここで、図５にて説明したボックス保存について更に説明する。
ユーザ（使用者）がボックス保存の機能を利用する際には、まず、図５にて示した表示画面上に、自身の選択用ボタン２１（保存先を特定するための選択用ボタン２１、以下、「保存先特定用選択用ボタン２１」と称する）を作成する必要がある。ここで、まず、保存先特定用選択用ボタン２１をユーザが作成する際に実行される処理の一例を説明する。
【００４２】
図１１の（Ａ）は、保存先特定用選択用ボタン２１をユーザが作成する際に制御部１００によって実行される処理の流れを示した図である。
ユーザが保存先特定用選択用ボタン２１を作成する際には、まず、このユーザが、画像形成装置１０を使用する権限を有しているか否かの判断である、ユーザ認証が実施される（ステップ１０１）。なお、このユーザ認証は、ユーザが画像形成装置１０の利用を開始する際に実施される（画像形成装置１０の操作開始時に実施される）。
【００４３】
ここで、ユーザ認証は、不図示のテンキーや表示部１０７を通じてユーザが入力したユーザＩＤ（ユーザを他のユーザから識別するための識別情報）と、画像形成装置１０の記憶部１０５（図１）などに予め記憶されているユーザＩＤとを照合することで行う。
【００４４】
なお、ユーザ認証は、ユーザが有するＩＤカード（不図示）から読み出されたユーザＩＤと、画像形成装置１０の記憶部１０５などに記憶されているユーザＩＤとを照合することで行ってもよい。また、ここでは、比較対象となる一方のユーザＩＤが記憶部１０５に記録されている場合を例示したが、この一方のユーザＩＤは、サーバなどの外部機器に格納しておいてもよい。この場合、外部機器に格納されたこのユーザＩＤと、画像形成装置１０にて取得されたユーザＩＤ（ユーザから取得されたユーザＩＤ）とが比較される。
【００４５】
そして、上記ユーザ認証によって、ユーザが権限を有していると判断された場合、制御部１００は、このユーザについての保存先特定用選択用ボタン２１を作成する（ステップ１０２）。
なお、保存先特定用選択用ボタン２１の作成に際し、制御部１００は、ユーザ情報を受け付けるための表示画面を表示部１０７に表示し、ユーザ名などユーザ情報を取得する。また、制御部１００は、今回作成しようとしている保存先特定用選択用ボタン２１と、既に作成されている他の保存先特定用選択用ボタン２１との識別に用いられるボタン用識別情報を生成する。
【００４６】
さらに、制御部１００は、ユーザのユーザＩＤを取得する。なお、制御部１００は、上記ステップ１０１のときにテンキー等を介してユーザにより入力された情報に基づき、ユーザＩＤを取得する。
そして、制御部１００は、取得したユーザ情報、生成したボタン用識別情報、および、取得したユーザＩＤを互いに対応付けたうえで、記憶部１０５に格納する。なお、図５に示すように、通常は、複数の異なるユーザの保存先特定用選択用ボタン２１が作成されるため、記憶部１０５には、複数のユーザ分の、ユーザ情報、ボタン用識別情報、ユーザＩＤが記憶される。
【００４７】
次に、図１１の（Ｂ）を参照し、ボックス保存がユーザにより利用される際に実行される処理の流れを説明する。なお、上記では、説明を省略したが、本実施形態では、ボックス保存の利用に際し、ユーザＩＤを利用して認証処理を行い、権限を有するユーザのみがボックス保存を利用できるようになっている。
【００４８】
ボックス保存をユーザが利用する際には、まず、図２にて示したホーム画面中の「ボックス保存」の選択がユーザにより行われるが、この選択に先立ち、本実施形態では、識別手段として機能する制御部１００によって、ユーザ認証が行われる（ステップ２０１）。付言すると、本実施形態では、上記と同様、ユーザが画像形成装置１０の利用を開始する際に、ユーザ認証を実行する。なお、このユーザ認証は、上記と同様、取得手段として機能する制御部１００が取得したユーザＩＤと、画像形成装置１０の記憶部１０５などに記憶されているユーザＩＤとを照合することにより行う。
【００４９】
そして、上記ユーザ認証が終了し（ユーザが権限を有していると判断され）、且つ、ユーザがボックス保存を希望する場合には、ユーザによって、ホーム画面上の「ボックス保存」（図２参照）が押圧される（ステップ２０２）。次いで、制御部１００は、ステップ２０１にて取得したユーザＩＤ（ユーザ認証時に取得したユーザＩＤ）と、記憶部１０５に記憶されている複数のユーザＩＤとの照合を行う（ステップ２０３）。付言すると、記憶部１０５に記憶されている複数のユーザＩＤの中に、ステップ２０１にて取得したユーザＩＤが存在しているか否かを判断する。
【００５０】
そして、記憶部１０５に記憶されている複数のユーザＩＤの中に、ステップ２０１にて取得したユーザＩＤが見つかった場合、表示手段の一部として機能する制御部１００は、図１２（表示部１０７の表示例を示した図）に示すように、このユーザＩＤに対応した保存先特定用選択用ボタン２１のみ（１つの保存先特定用選択用ボタン２１のみ）を表示部１０７に表示する（ステップ２０４）。なお、この表示の際には、保存先特定用選択用ボタン２１（ボックス）の外周縁の内側に、保存先特定用選択用ボタン２１の作成時にユーザにより入力されたユーザ情報（ユーザ名）も併せて表示する。
【００５１】
ここで、このように保存先特定用選択用ボタン２１が１つのみが表示される場合、保存先特定用選択用ボタン２１が複数表示される場合に比べ（図５にて示した表示態様に比べ）、誤った保存先特定用選択用ボタン２１が押される可能性が減るようになる。
【００５２】
また、本実施形態のように、保存先特定用選択用ボタン２１が１つのみが表示される場合、他のユーザの保存先特定用選択用ボタン２１は表示されないようになる。かかる場合、画像形成装置１０を利用している他のユーザのユーザ名が、ボックス保存を利用しようとしているユーザに知られてしまうことが抑制されるようになり、セキュリティ性能が高まるようになる。
また、保存先特定用選択用ボタン２１が１つのみが表示される場合、保存先特定用選択用ボタン２１が多数表示される場合（図５参照）に比べ、保存先特定用選択用ボタン２１の選択（特定）に要するユーザの作業時間を減らせるようになる。
【００５３】
なお、本実施形態では、保存先特定用選択用ボタン２１が１つのみが表示される場合を一例に説明したが、ステップ２０１にて取得したユーザＩＤにより特定されるユーザの保存先特定用選択用ボタン２１を含んでいれば、２個や３個など、複数個の保存先特定用選択用ボタン２１が表示されるようにしてもよい。
付言すると、１つの保存先特定用選択用ボタン２１を表示する場合に限らず、ボックス保存を利用する全ユーザの人数分よりも少ない個数の保存先特定用選択用ボタン２１を表示するようにすれば、ユーザが保存先特定用選択用ボタン２１を選択する際の選択肢が減るようになり、誤った保存先特定用選択用ボタン２１が押圧されるなどの不具合を減らせるようになる。
【００５４】
また、本実施形態では、１つの保存先特定用選択用ボタン２１を単に表示するのではなく、元の配置位置（全てのユーザの保存先特定用選択用ボタン２１が表示される場合（図５参照）における配置位置）から保存先特定用選択用ボタン２１を移動させ、図１２に示すように、表示画面の左上の隅に、保存先特定用選択用ボタン２１を配置する。付言すると、表示画面の、最上位且つ最も左側に、保存先特定用選択用ボタン２１を表示する。これにより、ユーザは、より早期に自身の保存先特定用選択用ボタン２１を見つけられるようになる。
【００５５】
さらに説明すると、本実施形態では、全てのユーザの保存先特定用選択用ボタン２１が表示される表示モードにおける、上記１つの保存先特定用選択用ボタン２１の配置位置と、１つの保存先特定用選択用ボタン２１のみが表示される表示モード（保存先特定用選択用ボタン２１の表示個数が減らされる表示モード）における、この１つの保存先特定用選択用ボタン２１の配置位置とを異ならせる。
【００５６】
ここで、例えば、１つの保存先特定用選択用ボタン２１を１つだけ表示する場合であっても、保存先特定用選択用ボタン２１の移動を行わずに、元の位置に配置する場合、スクロールさせないと、保存先特定用選択用ボタン２１が見えない場合が生じうる。
【００５７】
詳細に説明すると、本実施形態では、保存先特定用選択用ボタン２１が多数存在する場合、図５に示すように、表示画面の右側に位置するスクロールバーを用いて表示画面を下方にスクロールさせないと、隠れている保存先特定用選択用ボタン２１が現れず、全ての保存先特定用選択用ボタン２１を確認できない場合がある。このような場合にて、保存先特定用選択用ボタン２１の上記移動を行わないと、この保存先特定用選択用ボタン２１が隠れたままの状態となってしまうことがある。
【００５８】
図１２にて示す表示画面についてさらに説明する。
本実施形態では、図１２に示すように、保存先特定用選択用ボタン２１を１つだけ表示するに際し、この１つの保存先特定用選択用ボタン２１の色を、表示部１０７の「地」の色とは異ならせ、オン状態で表示する。付言すると、この１つの保存先特定用選択用ボタン２１が既に選択された状態で、この１つの保存先特定用選択用ボタン２１を表示する。この場合、ユーザは、この１つの保存先特定用選択用ボタン２１の選択を行わずに（この１つの保存先特定用選択用ボタン２１に触れずに）、ボックス保存を開始できる。
【００５９】
なお、ボックス保存は、不図示のスタートボタンがユーザにより押圧されることで開始される。ここで、このスタートボタンが押圧されると、画像読み取り手段として機能する画像読取部１０８が駆動し、画像読取部１０８にセットされた原稿（記録材）の読み取りが開始される。これにより、原稿上の画像が読み取られ画像データが生成され、そして、この画像データが記憶部１０５に格納される。
【００６０】
その後、ユーザにより、この記憶部１０５へのアクセスが行われ、記憶部１０５からの画像データの読み出しが行われる。そして、この画像データは、画像形成部１０９、通信部１１０などに出力される。これにより、用紙への画像形成、ファックス送信、外部へのデータ転送などが行われる。
【００６１】
なお、上記では、保存先特定用選択用ボタン２１を１つだけ表示する場合を一例に説明したが、複数のユーザにより共有された保存先特定用選択用ボタン２１が作成されている場合には、図１３（表示部１０７の他の表示例を示した図）に示すように、上記１つの保存先特定用選択用ボタン２１（以下、「個人用選択用ボタン２１」と称する）に加え、共有の保存先特定用選択用ボタン２１（以下、「共有選択用ボタン２１」と称する）が表示される。
【００６２】
ここで、図１３に示す表示画面では、個人用選択用ボタン２１および共有選択用ボタン２１の何れがユーザによって選択されるかが不明のため、いずれもオフ状態で表示を行う（「地」の色と同じ色で表示を行う）。
また、図１３に示す表示画面では、画面の左上の隅に、個人用選択用ボタン２１を配置し、この個人用選択用ボタン２１の右隣りに、共有選択用ボタン２１を配置する。付言すると、本実施形態では、個人用選択用ボタン２１を、矩形状に形成された表示画面が有する４つの側縁（側辺）のうちの一つの側縁１０７Ａに寄せて配置し、共有選択用ボタン２１を、個人用選択用ボタン２１を挟んでこの一つの側縁１０７Ａとは反対側（表示領域の中央側）に配置する。
【００６３】
さらに説明すると、本実施形態では、図１２、図１３に示すように、共有選択用ボタン２１の有無にかかわらず、個人用選択用ボタン２１を、一定の位置（左上の隅）に配置するようにしている。この場合、ユーザは、自身の選択用ボタン２１（個人用選択用ボタン２１）をさらに見つけ出しやすくなる。
【００６４】
共有選択用ボタン２１が表示される際に、この共有選択用ボタン２１を左上の隅に表示してしまうと、共有選択用ボタン２１の有無によって、個人用選択用ボタン２１の位置が変化してしまう。かかる場合、この個人用選択用ボタン２１が一定位置に配置される場合に比べ、ユーザは、自身の選択用ボタン２１を見つけにくくなる。
【００６５】
ところで、上記では、ユーザの認証機能を有した画像形成装置１０について説明したが、ユーザの認証機能がオフされている状態にてボックス保存が利用される場合や、ユーザの認証機能を有していない画像形成装置１０にてボックス保存が利用される場合には、全ての選択用ボタン２１が表示されるようになり、表示部１０７における表示画面は、図５に示すようになる。この表示画面では、同図に示すように、ボックス保存を利用している他のユーザのユーザ名も表示されるようになる。
【００６６】
一方で、ユーザの認証機能を有し且つユーザの認証機能がオンされている画像形成装置１０では、ユーザ認証がなされたか否か（ユーザが権限を有しているか否か）によって、二つの異なる処理が実行される。ここで、ユーザ認証がなされた際には、上記にて説明したように、このユーザに対応した１つの保存先特定用選択用ボタン２１（個人用選択用ボタン２１）、または、この１つの保存先特定用選択用ボタン２１（個人用選択用ボタン２１）および共有の保存先特定用選択用ボタン２１（共有選択用ボタン２１）が表示される。
【００６７】
一方で、ユーザ認証に失敗した場合（図１１（Ｂ）のステップ２０１のユーザ認証が成功しなかった場合）やユーザ認証が行われなかった場合、本実施形態では、保存先特定用選択用ボタン２１の表示画面上への表示を一切行わないようにする。これにより、権限のないユーザによるボックス保存が防止される。また、この場合、ボックス保存を利用しているユーザのユーザ名が、この権限のない者に知られることも防止される。
【００６８】
なお、本実施形態の画像形成装置１０は、上記のとおり、ユーザの認証機能を有している。そして、本実施形態の画像形成装置１０では、このユーザの認証機能のオン／オフによって、表示モードが切り替わるようになる。詳細には、ユーザの認証機能のオンの場合には、第１の表示モードとなり、ユーザの認証機能のオフの場合には、第２の表示モードとなる。
【００６９】
ここで、第１の表示モードでは、上記にて説明したとおり、１つの保存先特定用選択用ボタン２１の表示、又は、保存先特定用選択用ボタン２１の非表示が行われる。詳細には、ユーザ認証がなされた場合には、保存先特定用選択用ボタン２１が１つ表示され、ユーザ認証がなされない場合には、保存先特定用選択用ボタン２１の表示が省略される。また、第２の表示モードでは、ユーザ認証の有無に関わらず、全ての保存先特定用選択用ボタン２１（ボックス保存を利用する全ユーザの人数分の保存先特定用選択用ボタン２１）が表示される。
【００７０】
なお、上記において一部説明したが、保存先特定用選択用ボタン２１を表示している表示画面では、図５、図１２、図１３に示すように、画面の最下部に、ユーザによって変更される頻度の高い設定項目（「カラーモード」、「原稿の送りモード」、「読み取り解像度」）が表示されており、これらの設定項目については、画面の切り替えを行わずに（第２タブ５Ｂを選択せずに）、その内容を変更できるようになっている。
【００７１】
付言すると、本実施形態では、保存先特定用選択用ボタン２１を表示している表示画面（以下、「第１の表示画面」と称する）の中に、ボックス保存に際して設定可能な設定項目も併せて表示するようにし、画面の切り替えを行わずに、ボックス保存時の設定を変更できるようになっている。付言すると、本実施形態では、保存先特定用選択用ボタン２１を表示している第１表示画面の中に、画像読取部１０８が画像読み取りを行う際の読み取り条件をユーザが設定する際に用いる設定用画像（複数の設定用ボタン）を併せて表示するようにしている。
【００７２】
一方で、第２タブ５Ｂが選択された際の表示画面（以下、「第２の表示画面」と称する）では、図６（Ａ）にて示したとおり、ボックス保存に際して設定可能な他の設定項目が表示される。付言すると、第２タブ５Ｂが選択された場合には、画像読取部１０８が画像読み取りを行う際の読み取り条件をユーザが設定する際に用いる他の設定用画像（他の設定用ボタン）が表示される。さらに説明すると、第２の表示画面では、上記第１の表示画面にて表示される上記設定用画像によって設定可能な読み取り条件とは異なる読み取り条件の設定に用いられる設定用画像が表示される。さらに説明すると、この第２の表示画面では、保存先特定用選択用ボタン２１を表示せずに、設定用画像を表示する。
【００７３】
なお、本実施形態では、上記変更される頻度が高い設定項目（３つの設定項目）については、第１タブ５Ａが選択された際の表示画面（第１の表示画面）のみではなく、第２タブ５Ｂが選択された際の表示画面（第２の表示画面）にも表示されるようにしている。これにより、ユーザは、第２タブ５Ｂが選択された際の表示画面においても、上記３つの設定項目の各々についての設定を行えるようになる。
【００７４】
なお、本実施形態では、上記３つの設定項目を、第２の表示画面に表示する際、この３つの設定項目を、最も下に表示する。付言すると、上下方向に並んで配置された複数の設定項目のうちの、最も下側に位置する設定項目として表示する。
【００７５】
ここで、３つの設定項目が、第２の表示画面の上位に位置し、第２タブ５Ｂをユーザが選択した直後のこの第２の表示画面に、この３つの設定項目が表示される場合、第１の表示画面と第２の表示画面の両者に、重複してこの３つの設定項目が表示されるようになり、表示画面が見にくくなるおそれがある（表示の内容を理解しにくくなるおそれがある）。
【００７６】
このため、本実施形態では、上記のとおり、第２の表示画面では、上記３つの設定項目を下方に配置するようにしている。付言すると、本実施形態では、第２タブ５Ｂが選択された直後の表示画面には、上記３つの設定項目が表示されないようにし（表示画面を下方にスクロールしないと上記３つの設定項目が表示されないようにし）、表示の内容の把握をユーザが行いやすいようにしている。
【００７７】
なお、上記では、液晶のタッチパネルディスプレイにより表示部１０７が構成され、ユーザによる保存先特定用選択用ボタン２１の選択を、表示部１０７にて受け付ける場合を一例に説明したが、ユーザによる保存先特定用選択用ボタン２１の選択の受け付けは、テンキーやキーボートなど、表示部１０７以外の部分で行うようにしてもよい。
【００７８】
また、本実施形態では、画像形成装置１０について説明を行ったが、この画像形成装置１０には、様々な機能が含まれており、機能の組み合わせによっては、画像形成装置１０以外の装置として捉えることができる。例えば、画像読取部１０８、表示部１０７、制御部１００で装置を構成すると、この装置は、画像読み取り装置（スキャナ装置）として捉えることができるようになる。また、表示部１０７、制御部１００で装置を構成すると、この装置は、表示装置として捉えることができるようになる。
【符号の説明】
【００７９】
１０…画像形成装置、２１…選択用ボタン、１００…制御手段、１０７…表示部、１０７Ａ…側縁、１０８…画像読取部
【要約】
【課題】ユーザ毎に作成されユーザによる選択の際に用いられる選択用画像が表示されている表示画面の中から、自己の選択用画像をユーザが探す際の利便性を高める。
【解決手段】ボックス保存が利用される際には、まず、ユーザ認証が行われ、ユーザＩＤが取得される。そして、ユーザによって、ホーム画面上の「ボックス保存」が押圧されると、ユーザＩＤに対応した保存先特定用選択用ボタン２１のみ（１つの保存先特定用選択用ボタン２１のみ）が表示部１０７に表示される。保存先特定用選択用ボタン２１が１つのみが表示される場合、保存先特定用選択用ボタン２１が複数表示される場合に比べ、誤った保存先特定用選択用ボタン２１が押される可能性が減るようになる。
【選択図】図１２【図１】
0005494874.tif 000002
【図２】
0005494874.tif 000003
【図３】
0005494874.tif 000004
【図４】
0005494874.tif 000005
【図５】
0005494874.tif 000006
【図６】
0005494874.tif 000007
【図７】
0005494874.tif 000008
【図８】
0005494874.tif 000009
【図９】
0005494874.tif 000010
【図１０】
0005494874.tif 000011
【図１１】
0005494874.tif 000012
【図１２】
0005494874.tif 000013
【図１３】
0005494874.tif 000014